(57)【要約】【課題】  本考案は、伸縮レンズを駆動伸縮する際の、伸縮レンズのぶれを防ぐことができ、かつ部品の簡略化し、組み立てる際の生産性を効率よく行うことのできるカメラレンズアセンブリ内設置式駆動装置を提供することを目的とする。【解決手段】  環状コイル２１をレンズ座１１の内部に設置し、マグネット回転環２５の軸筒２６とねじ山１３がネジ結合され、マグネット回転環２５の軸筒２６が回転することにより、伸縮レンズ１２を伸縮させるようカメラレンズアセンブリ内設置式駆動装置を構成した。【選択図】  図４
0003103297.tif 000002
【実用新案登録請求の範囲】
【請求項１】
カメラレンズアセンブリは、レンズ座と、相対移動可能な伸縮レンズとからなり、
カメラレンズアセンブリ用駆動装置の駆動源は、内環面に複数の極歯を具備する環状コイルと、マグネット回転環とからなる駆動モーターで、前記レンズ座の内部に前記環状コイルを直接設置し、更に、前記マグネット回転環を前記環状コイルの内設空間内に設置し、且つ、前記伸縮レンズの外周面にねじ山を設け、前記マグネット回転環の軸筒の内面のねじ溝と前記ねじ山とがネジ結合により滑動でき、前記伸縮レンズ外周面に設けた制限溝と前記レンズ座のガイドとが相対することにより、回転防止機能を果たし、前記マグネット回転環が前記環状コイルに反応し、回転することにより、前記伸縮レンズを伸縮させることができ、１組のカメラレンズアセンブリ内設置式駆動装置をなすことができることを特徴とするカメラレンズアセンブリ内設置式駆動装置。
【請求項２】
前記レンズ座内に前記マグネット回転環の両側に相対して、それぞれストッパーが設置されることにより、前記マグネット回転環の移動範囲を制限でき、且つ、前記伸縮レンズの伸縮移動の制御力を提供することができることを特徴とする請求項１記載のカメラレンズアセンブリ内設置式駆動装置。
【請求項３】
前記ガイドのガイドプレートは、前記レンズ座上に固定結合させることができ、前記レンズ座の内部の前記環状コイルを安定設置させることができることを特徴とする請求項１記載のカメラレンズアセンブリ内設置式駆動装置。
【請求項４】
カメラレンズアセンブリは、レンズ座と、相対移動可能な伸縮レンズとからなり、
前記伸縮レンズを装着する筒を設け、
カメラレンズアセンブリ用駆動装置の駆動源は、内環面に複数の極歯を具備する環状コイルと、マグネット回転環とからなる駆動モーターで、前記レンズ座の内部に前記環状コイルを直接設置し、更に、前記マグネット回転環を前記環状コイルの内設空間内に設置し、且つ、前記筒の外周面にねじ山を設け、前記マグネット回転環の軸筒の内面のねじ溝と前記ねじ山とがネジ結合により滑動でき、前記筒の外周面に設けた制限溝と前記レンズ座のガイドとが相対することにより、回転防止機能を果たし、前記マグネット回転環が前記環状コイルに反応し、回転することにより、前記伸縮レンズを伸縮させることができ、１組のカメラレンズアセンブリ内設置式駆動装置をなすことができることを特徴とするカメラレンズアセンブリ内設置式駆動装置。
【考案の詳細な説明】
【技術分野】
【０００１】
本考案は、カメラレンズアセンブリ内設置式駆動装置に係り、特に、伸縮レンズを駆動伸縮する際の、伸縮レンズのぶれを防ぐことができ、かつ部品の簡略化し、組み立てる際の生産性を効率よく行うことのできるカメラレンズアセンブリ内設置式駆動装置に関する。
【背景技術】
【０００２】
従来のカメラレンズアセンブリの構造は、直接駆動モーターをレンズ座外部に固定し、伝動アセンブリにより間接的に伸縮レンズを伸縮させる構造とされている。しかし、駆動させることができるのは一方の側のみであり、伸縮レンズや連動アセンブリをレンズ座内に具備する必要がある。
【考案の開示】
【考案が解決しようとする課題】
【０００３】
しかしながら、従来のカメラレンズアセンブリは、直接駆動モーターをレンズ座外部に固定する構造であるため、カメラレンズアセンブリの構造の配置が不対称になり、レンズアセンブリの空間配置に影響を及ぼすという問題があった。また、カメラレンズアセンブリの使用時には、駆動モーターの（伝動アセンブリの）駆動位置がレンズアセンブリの片側にのみある為、伸縮レンズを駆動伸縮する際にぶれを発生しやすいという問題があった。さらに、レンズ座外部の駆動モーターは、伝動アセンブリにより伸縮レンズを伸縮させるため、部品及び組み立て生産のコストがかかるという問題があった。
【０００４】
従って、本考案は、伸縮レンズを駆動伸縮する際の、伸縮レンズのぶれを防ぐことができ、かつ部品の簡略化し、組み立てる際の生産性を効率よく行うことのできるカメラレンズアセンブリ内設置式駆動装置を提供することを目的とする。
【課題を解決するための手段】
【０００５】
上記課題を解決するために本考案では、次に述べる各手段を講じたことを特徴とするものである。
【０００６】
請求項１に記載の考案では、カメラレンズアセンブリは、レンズ座と、相対移動可能な伸縮レンズとからなり、カメラレンズアセンブリ用駆動装置の駆動源は、内環面に複数の極歯を具備する環状コイルと、マグネット回転環とからなる駆動モーターで、前記レンズ座の内部に前記環状コイルを直接設置し、更に、前記マグネット回転環を前記環状コイルの内設空間内に設置し、且つ、前記伸縮レンズの外周面にねじ山を設け、前記マグネット回転環の軸筒の内面のねじ溝と前記ねじ山とがネジ結合により滑動でき、前記伸縮レンズ外周面に設けた制限溝と前記レンズ座のガイドとが相対することにより、回転防止機能を果たし、前記マグネット回転環が前記環状コイルに反応し、回転することにより、前記伸縮レンズを伸縮させることができ、１組のカメラレンズアセンブリ内設置式駆動装置をなすことができることを特徴とするカメラレンズアセンブリ内設置式駆動装置により、解決できる。
【０００７】
上記考案によれば、駆動モーターを直接レンズ座内に設置し、カメラレンズアセンブリの構造の配置が対称になる構造とすることにより、レンズアセンブリの空間配置に余裕を持たせることができる。また、環状コイルとマグネット回転環とを相対させ、全体的に伸縮レンズを駆動する駆動モーターにより、伸縮レンズの駆動伸縮時のぶれを防ぐことができる。
【０００８】
請求項２に記載の考案では、前記レンズ座内に前記マグネット回転環の両側に相対して、それぞれストッパーが設置されることにより、前記マグネット回転環の移動範囲を制限でき、且つ、前記伸縮レンズの伸縮移動の制御力を提供することができることを特徴とするカメラレンズアセンブリ内設置式駆動装置により、解決できる。
【０００９】
上記考案によれば、マグネット回転環の移動範囲を制限でき、且つ、伸縮レンズの伸縮移動の制御力を提供することができる。
【００１０】
請求項３に記載の考案では、前記ガイドのガイドプレートは、前記レンズ座上に固定結合させることができ、前記レンズ座の内部の前記環状コイルを安定設置させることができることを特徴とする請求項１記載のカメラレンズアセンブリ内設置式駆動装置により、解決できる。
【００１１】
上記考案によれば、レンズ座の内部の環状コイルを安定して設置させることができる。
【００１２】
請求項４に記載の考案では、カメラレンズアセンブリは、レンズ座と、相対移動可能な伸縮レンズとからなり、前記伸縮レンズを装着する筒を設け、カメラレンズアセンブリ用駆動装置の駆動源は、内環面に複数の極歯を具備する環状コイルと、マグネット回転環とからなる駆動モーターで、前記レンズ座の内部に前記環状コイルを直接設置し、更に、前記マグネット回転環を前記環状コイルの内設空間内に設置し、且つ、前記筒の外周面にねじ山を設け、前記マグネット回転環の軸筒の内面のねじ溝と前記ねじ山とがネジ結合により滑動でき、前記筒の外周面に設けた制限溝と前記レンズ座のガイドとが相対することにより、回転防止機能を果たし、前記マグネット回転環が前記環状コイルに反応し、回転することにより、前記伸縮レンズを伸縮させることができ、１組のカメラレンズアセンブリ内設置式駆動装置をなすことができることを特徴とするカメラレンズアセンブリ内設置式駆動装置により、解決できる。
【００１３】
上記考案によれば、駆動モーターを直接レンズ座内に設置し、カメラレンズアセンブリの構造の配置が対称になる構造とすることにより、レンズアセンブリの空間配置に余裕を持たせることができる。また、環状コイルとマグネット回転環とを相対させ、全体的に伸縮レンズを駆動する駆動モーターにより、伸縮レンズの駆動伸縮時のぶれを防ぐことができる。さらに、レンズ座内に設置する駆動モーターは、余分な連動アセンブリの簡略化をはかることができ、マグネット回転環と軸筒により伸縮レンズを駆動する構造により、部品及び組み立て生産のコストの簡略化をはかることができる。
【考案を実施するための最良の形態】
【００１４】
以下に添付図面を参照して、本考案の実施例を説明する。
【００１５】
図１は、本考案のカメラレンズアセンブリの立体分解図であり、図２は、本考案のカメラレンズアセンブリの立体組み合わせ図である。図１乃至２に示すように、本考案は一種のカメラレンズアセンブリ内設置式駆動装置を提供するものである。本実施例のカメラレンズアセンブリは、レンズ座１１と、相対移動可能な伸縮レンズ１２とから構成されている。また、伸縮レンズ１２を装着する筒１７が設けられている。
【００１６】
カメラレンズアセンブリ用駆動装置の駆動源は、内環面に複数の極歯２２を具備する環状コイル２１と、マグネット回転環２５とからなる駆動モーターとして構成されている。駆動モータは、レンズ座１１の内部に環状コイル２１を直接設置し、更に、マグネット回転環２５を環状コイル２１の内設空間２３内に設置し、且つ、筒１７の外周面にねじ山１３を設け、マグネット回転環２５の軸筒２６内面のねじ溝２７とねじ山１３とがネジ結合により滑動可能な構成とされている。
【００１７】
図３は、本考案のカメラレンズアセンブリの組み合わせ断面図であり、図４は、本考案のカメラレンズアセンブリの伸縮状態を示す組み合わせ断面図である。筒１７の外周面に設けた制限溝１４とレンズ座１１のガイド１５とが相対することにより、回転防止機能を果たし、マグネット回転環２５が環状コイル２１に反応し、回転することにより、伸縮レンズ１２を伸縮させることができ（図３乃至４参照）、１組のカメラレンズアセンブリ内設置式駆動装置をなすことができる。
【００１８】
レンズ座１１内に上記マグネット回転環２５の両側に相対して、それぞれストッパー２４を設置することにより、マグネット回転環２５の移動範囲を制限でき、且つ、伸縮レンズ１２の伸縮移動の制御力を提供することができる。また、ガイド１５のガイドプレート１６は、レンズ座１１上に固定結合させることができる構成とされており、レンズ座１１内部の環状コイル２１を安定設置させることができる。
【００１９】
また、本実施例のように、ねじ山１３と制限溝１４とを、１つの筒１７の外周面上に形成することにより、伸縮レンズ１２の組み立てを簡単にすることができる。なお、上記構成に筒１７を設けない場合、つまり伸縮レンズ１２をマグネット回転環２５の軸筒２６に装着する場合には、筒１７に形成されたねじ山１３と制限溝１４とを伸縮レンズ１２の外周面に設けて、伸縮レンズ１２に形成されたねじ山１３と軸筒２６の内面に形成されたねじ溝２７とをネジ結合させても良く、上記実施例と同様な効果を得ることができる。
【００２０】
以上説明したような構成とすることにより、環状コイル２１とマグネット回転環２５とからなる駆動モーターを直接、レンズ座１１と伸縮レンズ１２とからなるカメラレンズアセンブリ内に設置して、環状コイル２１により回転することにより、余分な連動アセンブリの簡略化をはかることができる。また、レンズ座１１のガイド１５と制限溝１４とが相対し、同時に、ねじ溝２７を具備する軸筒２６の反応作動回転が伸縮レンズ１２を安定伸縮させ、マグネット回転環２５を利用した環状の軸筒２６は全体的に伸縮レンズ１２を駆動することにより、伸縮レンズ１２の駆動伸縮時のぶれを防ぐことができる。さらに、駆動モーターをレンズ座１１内に設置し、カメラレンズアセンブリの構造の配置を対称にすることにより、レンズアセンブリの空間配置に余裕を持たせることができる構造のカメラレンズアセンブリ内設置式駆動装置を提供することができ、伸縮レンズ１２の駆動伸縮時のぶれを排除するとともに部品の簡略化及び組み立て生産の効率化を達成することができる。
【図面の簡単な説明】
【００２１】
【図１】本考案のカメラレンズアセンブリの立体分解図である。
【図２】本考案のカメラレンズアセンブリの立体組み合わせ図である。
【図３】本考案のカメラレンズアセンブリの組み合わせ断面図である。
【図４】本考案のカメラレンズアセンブリの伸縮状態を示す組み合わせ断面図である。
【符号の説明】
【００２２】
１１  レンズ座
１２  伸縮レンズ
１３  ねじ山
１４  制限溝
１５  ガイド
１６  ガイドプレート
１７  筒
２１  環状コイル
２２  極歯
２３  内設空間
２４  ストッパー
２５  マグネット回転環
２６  軸筒
２７  ねじ溝
【図１】
0003103297.tif 000003
【図２】
0003103297.tif 000004
【図３】
0003103297.tif 000005
【図４】
0003103297.tif 000006